(57)【特許請求の範囲】
【請求項１】
両端に接続フランジが設けられた管部材を吊り下すためのガイドであって、前記管部材の先端側の前記接続フランジに結合する内向きフランジを有する先細状の先端ガイドと、前記管部材の後端部外周面を覆って配置されて後端側の前記接続フランジに結合する内向きフランジを有し、先端側が小径のスカート状後端ガイドとからなることを特徴とする配管の吊下しガイド。
【請求項２】
前記後端ガイドは、周方向に複数に分割してあることを特徴とする請求項１に記載の配管の吊下しガイド。
【請求項３】
前記先端ガイドと前記後端ガイドとは前記内向きフランジを介して結合可能に形成してあり、前記先端ガイドは先端に巻上げ装置のワイヤに接続する吊り部を有していることを特徴とする請求項１または２に記載の配管の吊下しガイド。
【発明の詳細な説明】
【０００１】
【発明の属する技術分野】
本発明は、両端に接続フランジを有する管部材を吊り下すガイドに係り、特に内部に作業階段やフレームなどの構造物が設けられている場所に外向き接続フランジを備えた管部材を吊り下すのに好適な配管の吊下し込みガイド。
【０００２】
【従来の技術】
従来、長い立坑内に配管を設置する場合、配管を適宜の長さに分割するとともに、分割した配管(管部材)の両端に接続用フランジを取り付け、接続フランジにウインチのワイヤを接続して管部材を立坑内に順次吊り下し、接続フランジを介して各管部材をボルトによって相互に連結するようにしている。
【０００３】
【発明が解決しようとする課題】
しかし、上記のように管部材の接続フランジにワイヤを接続して立坑に吊り下す方法は、狭い立坑内に作業階段や配管を固定するためのフレームなどが設けてある場合、長い距離を吊り下す際に管部材が揺れて管部材本体から出っ張っている接続フランジが作業階段やフレームに引っ掛かり、管部材を円滑に吊り下すことができないばかりでなく危険である。
本発明は、前記従来技術の欠点を解消するためになされたもので、構造物が存在している場合でも接続フランジを有する管部材を容易に吊り下すことができるようにすることを目的としている。
【０００４】
【課題を解決するための手段】
上記の目的を達成するために、本発明に係る配管の吊下しガイドは、両端に接続フランジが設けられた管部材を吊り下すためのガイドであって、前記管部材の先端側の前記接続フランジに結合する内向きフランジを有する先細状の先端ガイドと、前記管部材の後端部外周面を覆って配置されて後端側の前記接続フランジに結合する内向きフランジを有し、先端側が小径のスカート状後端ガイドとからなる構成にしてある。後端ガイドは、周方向に複数に分割することが望ましい。そして、先端ガイドと後端ガイドとは内向きフランジを介して結合可能に形成し、また先端ガイドは先端に巻上げ装置のワイヤに接続する吊り部を設けることができる。
【０００５】
【作用】
上記のごとく構成した本発明は、吊り下す管部材の先端側接続フランジに、内向きフランジを有する円錐状などの先細状先端ガイドを取り付けるとともに、管部材の後端側接続フランジに内向きフランジを有する先端側が小径なスカート状の後端ガイドを取り付けて管部材の後端部外周面を覆い、各接続フランジの先端側から接続フランジに向けて径が漸次大きくなるようにしているため、構造物のある場所に管部材を吊り下したとしても接続フランジ部が構造物に引っ掛かるようなことがなく、管部材を円滑、安全に吊り下すことができる。
【０００６】
そして、後端ガイドを周方向に複数に分割することにより、後端ガイドを管部材に容易に装着でき、また後端ガイドの最大外径を管部材の接続フランジと同じにすることができ、小型化を図ることができる。また、先端ガイドと後端ガイドとを内向きフランジによって結合可能とし、先端ガイドの先端に巻上げ装置のワイヤに接続する吊り部を設けると、管部材を吊り下したのちにガイドを吊り上げて回収する際に、先端ガイドを後端ガイドとを一体に回収できるとともに、先端ガイドの先端を吊り上げるためにガイドが構造物に引っ掛かるようなことがなく、円滑に回収することができる。
【０００７】
【発明の実施の形態】
本発明に係る配管の吊下しガイドの好ましい実施の形態を、添付図面に従って詳細に説明する。
図１、図２は、本発明の実施の形態に係る配管の吊下しガイドの説明図であって、図１（１) は管部材を吊り下す状態を示し、同図（２）は吊下しガイドを吊り上げて回収する状態を示したものであり、図2は管部材を吊り下す状態の断面図である。
【０００８】
これらの図において、吊下げガイドは、先端側が先細状(円錐状)の先端ガイド１０と、スカート状の後端ガイド２０からなっている。先端ガイド１０は、管部材３０を同図（１）の矢印４０のように吊り下すときに、下端側となる管本体３１に設けた先端接続フランジ３２に結合する内向きフランジ１２を上端開口部に有している。そして、内向きフランジ１２の内面、すなわち内向きフランジ１２の図１（１）の下側面には、複数（この実施形態においては４つ）のナット１４がで溶接によって固定してあって、先端接続フランジ３２と内向きフランジ１２とを貫通させたボルト３４をナット１４に螺合させることにより、先端ガイド１０を先端接続フランジ３２に結合できるようになっている。また、先端ガイド１０の先端には、吊り部としてのアイボルト１６が固定してあって、図１（２）の矢印４６のように先端ガイド１０を吊り上げる場合に、アイボルト１６が吊りワイヤ４２を介して巻上げ装置であるウインチのワイヤ４４に接続されるようになっている。
【０００９】
後端ガイド２０は、管本体３１の後端部外周面を覆うように配置され、先端側（図２の下側）が小径とされたスカート状をなしている。そして、後端ガイド２０は、半円部材２２ａ、２２ｂとからなる半割り構造となっていて、各半円部材２２ａ、２２ｂに、管部材３０の後端接続フランジ３６に結合する内向きフランジ２４が設けてある。また、内向きフランジ２４の内面、すなわち図１（１）の下側面には、複数（この実施形態においては６つ）のナット２６が中心に対して６０度間隔で溶接によって固定してある。これらのナット２６のうち、管本体３１の直径方向に位置する２つのナット２６に後端接続フランジ３６と内向きフランジ２４とを貫通させたアイボルト３８を螺合させ、他の４つのナット２６に後端接続フランジ３６と内向きフランジ２４とを貫通させたボルト３４を螺合させることにより、後端ガイド２０を後端接続フランジ３６に結合できるようになっている。そして、矢印４０のように管部材３０を吊り下す場合、アイボルト３８が吊りワイヤ４２を介してウインチのワイヤ４４に接続される。
【００１０】
なお、後端ガイド２０を回収する場合は、図１（２）に示したように、半円部材２２ａ、２２ｂの内向きフランジ２４と先端ガイド１０の内向きフランジ１２とを合わせて両者をボルト３４によって結合する。
このように構成した実施の形態に係る吊りガイドを用いた配管の吊下し作業を、地下発電所の排水立坑への配管据付け作業を例にして説明する。
【００１１】
図３は地下発電所の排水立坑の一部縦断面図であり、図４は図３のＡ−Ａ線に沿った断面図である。これらの図において、排水立坑５０は、壁面に沿ってライナ５２が配設してある。そして、ライナ５２の内部には、階段フレーム５４が設けてある。この階段フレーム５４は、矩形状に配置した４本の柱５６を有していて、これらの柱５６が桁材５８によって相互に連結されるとともに、サポート６０を介してライナ５２の内面に接続してある。また、柱５６には、図４の２点鎖線に示した水路抜水配管６２、６４や所内排水管６６などの配管を組み立てたり、配管を保守、点検するための作業階段６８が取り付けてある。
【００１２】
これらのライナ５２と階段フレーム５４と作業階段６８とは、一定の長さごとに分割されてユニットとして組み立てられ、図３に示したように、ウインチのワイヤ４４に吊られた吊り天秤７０に着脱自在に結合され、排水立坑５０内を吊り下されて、柱５６ａが下方の柱５６に作業者７２によって連結される。そして、柱５６、５６ａが連結されると、柱５６ａと吊り天秤７０との結合が解除され、吊り天秤７０がウインチによって吊り上げられる。ライナ５２の内部に設けた作業階段６８の側方には、図４に示したように、パイプスペース７４が階段フレーム５４によって形成され、このパイプスペース７４に水路抜水配管６２、６４、所内排水管６６が収納、配置される。
【００１３】
パイプスペース７４への配管の挿入は、図５ないし図８のようにして行われる。配管は、両端に接続フランジ３２、３６が設けられた所定長さの管部材３０にユニット化してある。そして、管部材３０は、図５に示したように、排水立坑５０の上部が開口している排水トンネル７６内に搬入され、作業車両７８のクレーン８０によって排水立坑５０の上部に吊り下される。
【００１４】
その後、管部材３０は、排水立坑５０内に吊り下される際に上側となる後端接続フランジ３６に後端ガイド２０が装着され(図６参照)、図１に示したアイボルト３８、吊りワイヤ４２を介してウインチ８２のワイヤ４４に接続される。また、管部材３０は、長手方向中央部をクレーン８０にって吊るようにし、先端側となる下側に作業者８４が操作する引きワイヤ８６を接続する。次に、ウインチ操作者８８は、合図者９０の合図に従って、矢印９２のようにワイヤ４４を巻き取り、管部材３０の上側(後端側)を矢印９４のように起こす。このとき、作業車両７８のクレーン８０を作動し、ブームを固定した状態でクレーンワイヤ９６を巻き上げ、ウインチワイヤ４４の巻取りに同調させて管部材３０を吊り上げる。そして、作業者８４は、ウインチワイヤ４４、クレーンワイヤ９６が巻き取られるのに従って、図７に示したように、引きワイヤ８６を引いて管部材３０の下側を滑らすように移動させてパイプスペース７４の内部に挿入する。その後、玉掛けを外して管部材３０をウインチ８２のワイヤ４４によって吊った状態に保持し、図８に示したように、作業者９８が排水立坑５０内に降りて行き、管部材３０の先端接続フランジ３２に先端ガイド１０を排水立坑５０内で取り付ける。この際、作業位置下方の開口部は、閉鎖用足場板１００によって閉鎖する。
【００１５】
先端ガイド１０を管部材３０に取り付けたならば、下方のパイプスペース７４を閉鎖している合板を取り除き、図８の矢印１０２のようにワイヤ４４を繰り出して管部材３０をパイプスペース７４内に吊り下す。この際、管部材３０は、先端接続フランジ３２に下方側から上方側に向けて漸次大径となる円錐状の先端ガイド１０が装着されており、上端接続フランジ３６に同様のスカート状の後端ガイド２０が装着されているため、ワイヤ４４の縒りの戻りなどによって管部材３０が揺れて階段フレーム５４に接触したとしても、接続フランジ３２、３６の部分が階段フレーム５４などに引っ掛かることなく、管部材３０をスムーズ、安全に吊り下すことができる。また、後端フランジ２０は、半円部材２２a、２２bからなる半割り構造となっているため、最大外径を後端接続フランジ３６の外形と同じにすることができ、小型化を図ることができる。
【００１６】
管部材３０が所定の位置まで吊り下されると、その旨が下部作業者に無線によって連絡される。下部作業者は、吊り下された管部材３０から先端ガイド１０を取り外し、既に排水立坑５０内に配置、固定された下方の配管(管部材)と吊り下した管部材３０とを接続フランジを介してボルトによって連結する。その後、管部材３０から後端ガイド２０を取り外し、図１（２）に示したように、先端ガイド１０と後端ガイド２０とを内向きフランジ１２、２４を合わせてボルト３４によって結合し、先端ガイド１０のアイボルト１６に吊りワイヤ４２を介してウインチ８２のワイヤ４４を連結し、矢印４６のようにウインチ８２によって先端ガイド１０と後端ガイド２０とを一体に吊り上げる。以下、同様にして管部材３０を必要な数だけ排水立坑５０内に吊り下して相互に連結する。
【００１７】
このように、実施の形態に係る先端ガイド１０と後端ガイド２０とを管部材３０の接続フランジ３２、３６に取り付けることにより、管部材３０が階段フレーム５４などに引っ掛かることを防止でき、管部材３０を円滑、安全に吊り下すことができる。また、先端ガイド１０と後端ガイド２０とは、排水立坑５０の上部に吊り上げて回収する際に、それぞれの内向きフランジ１２、２４を介して一体化され、先端ガイド１０の先端に設けたアイボルト１６を介して吊り上げるようになっているため、回収の際にこれらのガイド１０、２０が階段フレーム５４などの引っ掛かることがなく、容易、迅速な回収を行うことができる。
【００１８】
なお、前記実施の形態においては、後端ガイド２０が半割り構造である場合について説明したが、周方向に３つ以上に分割してもよい。また、前記実施の形態においては、管部材３０を排水立坑５０内に吊り下す場合について説明したが、これに限定されない。さらに、前記実施の形態においては、先端ガイド１０が円錐形である場合について説明したが、截頭円錐形であってもよい。そして、前記実施の形態においては、先端ガイド１０と後端ガイド２０との内向きフランジ１２、２４の内面にナット１４、２６を固定した場合について説明したが、内向きフランジ１２、２４に直接ねじを形成してもよい。
【００１９】
【発明の効果】
以上に説明したように、本発明によれば、吊り下す管部材の先端側接続フランジに、内向きフランジを有する円錐状などの先細状先端ガイドを取り付けるとともに、管部材の後端側接続フランジに内向きフランジを有する先端側が小径なスカート状の後端ガイドを取り付けて管部材の後端部外周面を覆い、各接続フランジの先端側から接続フランジに向けて径が漸次大きくなるようにしているため、構造物のある場所に管部材を吊り下したとしても接続フランジ部が構造物に引っ掛かるようなことがなく、管部材を円滑、安全に吊り下すことができる。
【００２０】
そして、後端ガイドを周方向に複数に分割することにより、後端ガイドを管部材に容易に装着でき、また後端ガイドの最大外径を管部材の接続フランジと同じにすることができ、小型化を図ることができる。また、先端ガイドと後端ガイドとを内向きフランジによって結合可能とし、先端ガイドの先端に巻上げ装置のワイヤに接続する吊り部を設けると、管部材を吊り下したのちにガイドを吊り上げて回収する際に、先端ガイドを後端ガイドとを一体に回収できるとともに、先端ガイドの先端を吊り上げるためにガイドが構造物に引っ掛かるようなことがなく、円滑に回収することができる。
【図面の簡単な説明】
【図１】本発明の実施の形態に係る配管の吊下しガイドの説明図である。
【図２】本発明の実施の形態に係る吊下しガイドによる管部材を吊り下す状態の断面図である。
【図３】実施の形態に係る吊下しガイドを用いて配管を吊り下す地下発電所の排水立坑の一部縦断面図である。
【図４】図３のＡ−Ａ線に沿った断面図である。
【図５】実施の形態に係る吊下しガイドを用いて管部材を吊り下す作業の説明図であって、管部材の排水トンネルへの搬入作業の説明図である。
【図６】実施の形態に係る吊下しガイドを用いて管部材を吊り下す作業の説明図であって、管部材に後端ガイドを取り付ける作業の説明図である。
【図７】実施の形態に係る吊下しガイドを用いて管部材を吊り下す作業の説明図であって、管部材の先端を排水立坑に挿入する作業の説明図である。
【図８】実施の形態に係る吊下しガイドを用いて管部材を吊り下す作業の説明図であって、先端ガイドを管部材に取り付ける作業の説明図である。
【符号の説明】
１０          先端ガイド
１２、２４    内向きフランジ
１４、２６    ナット
１６          吊り部(アイボルト)
３０          管部材
３２          先端接続フランジ
３６          後端接続フランジ
【図１】
0003781155.tif 000002
【図２】
0003781155.tif 000003
【図３】
0003781155.tif 000004
【図４】
0003781155.tif 000005
【図５】
0003781155.tif 000006
【図６】
0003781155.tif 000007
【図７】
0003781155.tif 000008
【図８】
0003781155.tif 000009